(57)【要約】【課題】ＣＭや飛ばしたいシーンのスキップ処理中にＥＰＧデータに基づいて広告や番組表などをディスプレイ装置の画面に表示させることができる情報記録再生装置を提供する。【解決手段】番組を再生中にスキップキーが押下されると、スキップ時表示機能がオンのとき、ＥＰＧデータから番組表データと広告データが抽出され、前記番組表データに基づいてディスプレイ装置の画面に番組表が表示されると共に、前記広告データに基づいてディスプレイ装置の画面の小窓領域に広告が表示される。この後、スキップ操作設定時間内に再度、スキップキーが押下されると、そのままディスプレイ装置に番組表と広告が持続表示される。スキップ操作設定時間内に、再度、スキップキーが押下されず、消去設定時間が経過すると、ディスプレイ装置に表示されている番組表と広告の表示が消去される。【選択図】図４
2008187548.tif 000002
【特許請求の範囲】
【請求項１】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
起動時にチューナからＥＰＧデータを取り込みメモリに記憶するＥＰＧ記憶処理手段と、
記録媒体に記録されたテレビ番組を再生中にスキップキーが押下されたか否かを判定するスキップキー押下判定手段と、
前記スキップキーが押下されたと判定され、スキップ時表示機能がオンのとき、前記メモリに記憶されたＥＰＧデータから番組表データと広告データを抽出する番組表・広告データ抽出手段と、
前記抽出された番組表データに基づいてディスプレイ装置の画面に番組表を表示させると共に、前記抽出された広告データに基づいてディスプレイ装置の画面の小窓領域に広告を表示させる番組表・広告表示処理手段と、
前記番組表と広告がディスプレイ装置に表示された後、スキップ操作設定時間内に再度スキップキーが押下されたか否かを判定する再スキップキー押下判定手段と、
前記スキップ操作設定時間内に再度スキップキーが押下されたと判定されたとき、そのままディスプレイ装置に番組表と広告を持続表示させる番組表・広告表示持続処理手段と、
前記スキップ操作設定時間内に再度スキップキーが押下されず、消去設定時間が経過したことを検知したとき、番組表と広告の表示を消去する番組表・広告消去処理手段と、を有するシステムコントローラを備えたことを特徴とする情報記録再生装置。
【請求項２】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
起動時にチューナからＥＰＧデータを取り込みメモリに記憶するＥＰＧ記憶処理手段と、
記録媒体に記録されたテレビ番組を再生中にスキップキーが押下されたか否かを判定するスキップキー押下判定手段と、
前記スキップキーが押下されたと判定され、スキップ時表示機能がオンのとき、前記メモリに記憶されたＥＰＧデータから広告データを抽出する広告データ抽出手段と、
前記抽出された広告データに基づいてディスプレイ装置の画面の小窓領域に広告を表示させる広告表示処理手段と、
前記広告がディスプレイ装置に表示された後、スキップ操作設定時間内に再度スキップキーが押下されたか否かを判定する再スキップキー押下判定手段と、
前記スキップ操作設定時間内に再度スキップキーが押下されたと判定されたとき、そのままディスプレイ装置に広告を持続表示させる広告表示持続処理手段と、
前記スキップ操作設定時間内に再度スキップキーが押下されず、消去設定時間が経過したことを検知したとき、広告の表示を消去する広告消去処理手段と、を有するシステムコントローラを備えたことを特徴とする情報記録再生装置。
【請求項３】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
起動時にチューナからＥＰＧデータを取り込みメモリに記憶するＥＰＧ記憶処理手段と、
記録媒体に記録されたテレビ番組を再生中にスキップキーが押下されたか否かを判定するスキップキー押下判定手段と、
前記スキップキーが押下されたと判定され、スキップ時表示機能がオンのとき、前記メモリに記憶されたＥＰＧデータから現在の放送時間帯の番組名を含むテキストデータと広告データを抽出するテキスト・広告データ抽出手段と、
前記抽出されたテキストデータに基づいてディスプレイ装置の画面の分割領域に現在の放送時間帯の番組名を含む情報を表示させると共に、前記抽出された広告データに基づいてディスプレイ装置の画面の小窓領域に広告を表示させる番組情報・広告表示処理手段と、
前記番組名を含む情報と広告がディスプレイ装置に表示された後、スキップ操作設定時間内に再度スキップキーが押下されたか否かを判定する再スキップキー押下判定手段と、
前記スキップ操作設定時間内に再度スキップキーが押下されたと判定されたとき、そのままディスプレイ装置に前記番組名を含む情報と広告を持続表示させる番組情報・広告表示持続処理手段と、
前記スキップ操作設定時間内に再度スキップキーが押下されず、消去設定時間が経過したことを検知したとき、番組名を含む情報と広告の表示を消去する番組情報・広告消去処理手段と、を有するシステムコントローラを備えたことを特徴とする情報記録再生装置。
【請求項４】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
スキップ時表示機能がオンに設定されている場合に、スキップキーが押下されると、前記チューナで受信したＥＰＧデータから抽出された番組表データに基づく番組表、およびＥＰＧデータから抽出された広告データに基づく広告を、ディスプレイ装置の画面に設定時間だけ表示させる制御を行うシステムコントローラを備えたことを特徴とする情報記録再生装置。
【請求項５】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
スキップ時表示機能がオンに設定されている場合に、スキップキーが押下されると、前記チューナで受信したＥＰＧデータから抽出された広告データに基づく広告を、ディスプレイ装置の画面に設定時間だけ表示させる制御を行うシステムコントローラを備えたことを特徴とする情報記録再生装置。
【請求項６】
テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、
スキップ時表示機能がオンに設定されている場合に、スキップキーが押下されると、前記チューナで受信したＥＰＧデータから抽出された現在の放送時間帯の番組名を含むテキストデータに基づく現在の放送時間帯の番組名を含む情報、および広告データに基づく広告を、ディスプレイ装置の画面に設定時間だけ表示させる制御を行うシステムコントローラを備えたことを特徴とする情報記録再生装置。
【請求項７】
前記システムコントローラは、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから番組表データと広告データを抽出する番組表・広告データ抽出手段と、前記抽出された番組表データに基づいてディスプレイ装置の画面に番組表を表示させると共に、前記抽出された広告データに基づいてディスプレイ装置の画面の小窓領域に広告を表示させる番組表・広告表示処理手段と、前記番組表と広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に番組表と広告を持続表示させる番組表・広告表示持続処理手段と、前記スキップ操作設定時間内に再度スキップキーが押下されず、消去設定時間が経過したことを検知したとき、番組表と広告の表示を消去する番組表・広告消去処理手段とを有することを特徴とする請求項４に記載の情報記録再生装置。
【請求項８】
前記システムコントローラは、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから広告データを抽出する広告データ抽出手段と、前記抽出された広告データに基づいてディスプレイ装置の画面の小窓領域に広告を表示させる広告表示処理手段と、前記広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に広告を持続表示させる広告表示持続処理手段と、前記スキップ操作設定時間内に再度スキップキーが押下されず、消去設定時間が経過したことを検知したとき、広告の表示を消去する広告消去処理手段とを有することを特徴とする請求項５に記載の情報記録再生装置。
【請求項９】
前記システムコントローラは、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから現在の放送時間帯の番組名を含むテキストデータと広告データを抽出するテキスト・広告データ抽出手段と、前記抽出されたテキストデータに基づいてディスプレイ装置の画面の分割領域に現在の放送時間帯の番組名を含む情報を表示させると共に、前記抽出された広告データに基づいてディスプレイ装置の画面の小窓領域に広告を表示させる番組情報・広告表示処理手段と、前記番組名を含む情報と広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に前記番組名を含む情報と広告を持続表示させる番組情報・広告表示持続処理手段と、前記スキップ操作設定時間内に再度スキップキーが押下されず、消去設定時間が経過したことを検知したとき、番組名を含む情報と広告の表示を消去する番組情報・広告消去処理手段とを有することを特徴とする請求項６に記載の情報記録再生装置。
【発明の詳細な説明】
【技術分野】
【０００１】
本発明は、テレビ番組やその他の情報を記録媒体に記録したり、記録媒体に記録されたテレビ番組やその他の情報を再生したりする情報記録再生装置に関し、特に、スキップキーが押下されたときに広告や番組表などを表示させる表示機能に関する。
【背景技術】
【０００２】
近年、ハードディスクやＤＶＤ（デジタル・バーサタイル・ディスク）などの記録媒体に映像音声情報を記録し、また、その記録媒体に記録された映像音声情報を再生することができる情報記録再生装置が普及している。このような情報記録再生装置は、一般家庭ではテレビ番組を記録することが多く、このテレビ番組には民放の場合、ＣＭ（コマーシャル）が含まれているので、ＣＭも記録されることになる。
【０００３】
このようなＣＭを含むテレビ番組を記録したハードディスクやＤＶＤなどの記録媒体を再生したとき、ユーザはＣＭを飛ばして視聴したいのが普通であり、このために情報記録再生装置では、ＣＭや飛ばしたいシーンなどをタイムシフトしてスキップさせるスキップ機能が設けられており、このスキップ機能を実行させたいとき、スキップキーを操作することにより、ＣＭや飛ばしたいシーンなどをスキップさせることができるようになっている。例えば、一般にＣＭは３０秒単位であり、スキップキーを一回押下すると、３０秒分のＣＭがスキップされ、また、ＣＭスキップキーを３回押下すると、９０秒分のＣＭがスキップされる。
【特許文献１】特開２００４−１１２１８４号公報
【特許文献２】特開２００２−１１２１９７号公報
【発明の開示】
【発明が解決しようとする課題】
【０００４】
しかしながら、このような従来の情報記録再生装置では、ＣＭや飛ばしたいシーンをスキップする場合、ディスプレイ装置の画面にＣＭや飛ばしたいシーンが現れたときに、スキップキーを押下すると、スキップ処理が実行されるが、スキップ処理中の待ち時間の間、ＥＰＧ（電子番組ガイド）データに基づいて広告や番組表などをディスプレイ装置の画面に表示させることができないので、スキップ処理中の待ち時間を有効に利用することができないと言う課題があった。
【０００５】
特許文献１の従来技術では、映像再生時にＣＭなどのシーンのサーチ再生時に、サーチ再生映像の代わり、もしくはサーチ再生映像に加えて、テキストや画像、リンク先の情報などを表示する機能を提供し、通常のＣＭ部の再生時とは異なったサーチ再生に対応した宣伝を実現できるようにしているが、スキップ処理中の待ち時間の間、ＥＰＧデータに基づいて広告や番組表などをディスプレイ装置の画面に表示させるものではない。
【０００６】
特許文献２の従来技術では、ＣＭ部の直後に、ＣＭ部の直前の映像を再記録してある映像を、ＣＭスキップにより視聴すると、ＣＭ部直前、およびＣＭ部直後の同じ内容の映像が繰り返されて表示されることとなり、視聴者に違和感を与えることとなるが、そのＣＭスキップにより生じる違和感を軽減するために、フェードイン処理、フェードアウト処理、タイトル画などの異なる映像を沿う入力しているが、この従来技術も、スキップ処理中の待ち時間の間、ＥＰＧデータに基づいて広告や番組表などをディスプレイ装置の画面に表示させるものではない。
【０００７】
本発明は、上記のような課題を解決するためになされたもので、ＣＭや飛ばしたいシーンのスキップ処理中にＥＰＧデータに基づいて広告や番組表などをディスプレイ装置の画面に表示させることができる情報記録再生装置を提供することを目的とする。
【課題を解決するための手段】
【０００８】
上記目的を達成するために、請求項１の発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから番組表データと広告データを抽出する番組表・広告データ抽出手段と、前記抽出された番組表データに基づいてディスプレイ装置の画面に番組表を表示させると共に、前記抽出された広告データに基づいてディスプレイ装置の画面の小窓領域に広告を表示させる番組表・広告表示処理手段と、前記番組表と広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に番組表と広告を持続表示させる番組表・広告表示持続処理手段と、前記スキップ操作設定時間内に再度スキップキーが押下されず、消去設定時間が経過したことを検知したとき、番組表と広告の表示を消去する番組表・広告消去処理手段と、を有するシステムコントローラを備えたことを特徴とする情報記録再生装置を提供する。
【０００９】
この構成において、記録媒体に記録された番組を再生中に、スキップキーが押下されると、スキップキー押下判定手段は、スキップキーが押下されたと判定し、この後、番組表・広告データ抽出手段は、スキップ時表示機能がオンのとき、ＥＰＧ記憶処理手段によりメモリに記憶されたＥＰＧデータから番組表データと広告データを抽出する。この後、番組表・広告表示処理手段は、前記抽出された番組表データに基づいてディスプレイ装置の画面に番組表を表示させると共に、前記抽出された広告データに基づいてディスプレイ装置の画面の小窓領域に広告を表示させる。
【００１０】
前記番組表と広告がディスプレイ装置に表示された後、再スキップキー押下判定手段は、スキップ操作設定時間内に再度、スキップキーが押下されたか否かを判定する。前記スキップ操作設定時間内に再度、スキップキーが押下されたと判定されたとき、番組表・広告表示持続処理手段は、そのままディスプレイ装置に番組表と広告を持続表示させる。そして、番組表・広告消去処理手段は、前記スキップ操作設定時間内に、再度、スキップキーが押下されず、消去設定時間が経過したことを検知したとき、ディスプレイ装置に表示されている番組表と広告の表示を消去する。
【００１１】
この構成によれば、ＣＭや飛ばしたいシーンのスキップ処理中にＥＰＧデータに基づいて広告と番組表とをディスプレイ装置の画面に表示させることができるので、スキップ処理中であっても、広告提供者は広告をユーザにアピールでき、また、ユーザは番組表を見ることができて便利になる。
【００１２】
請求項２の発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから広告データを抽出する広告データ抽出手段と、前記抽出された広告データに基づいてディスプレイ装置の画面の小窓領域に広告を表示させる広告表示処理手段と、前記広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に広告を持続表示させる広告表示持続処理手段と、前記スキップ操作設定時間内に再度スキップキーが押下されず、消去設定時間が経過したことを検知したとき、広告の表示を消去する広告消去処理手段とを有するシステムコントローラを備えたことを特徴とする情報記録再生装置を提供する。
【００１３】
この構成において、記録媒体に記録された番組を再生中に、スキップキーが押下されると、スキップキー押下判定手段は、スキップキーが押下されたと判定し、この後、広告データ抽出手段は、スキップ時表示機能がオンのとき、ＥＰＧ記憶処理手段によりメモリに記憶されたＥＰＧデータから広告データを抽出する。この後、広告表示処理手段は、前記抽出された広告データに基づいてディスプレイ装置の画面の小窓領域に広告を表示させる。
【００１４】
前記広告がディスプレイ装置に表示された後、再スキップキー押下判定手段は、スキップ操作設定時間内に再度、スキップキーが押下されたか否かを判定する。前記スキップ操作設定時間内に再度、スキップキーが押下されたと判定されたとき、広告表示持続処理手段は、そのままディスプレイ装置に広告を持続表示させる。そして、広告消去処理手段は、前記スキップ操作設定時間内に、再度、スキップキーが押下されず、消去設定時間が経過したことを検知したとき、ディスプレイ装置に表示されている広告の表示を消去する。
【００１５】
この構成によれば、ＣＭや飛ばしたいシーンのスキップ処理中にＥＰＧデータに基づいて広告をディスプレイ装置の画面に表示させることができるので、スキップ処理中であっても広告提供者は広告をユーザにアピールできる。
【００１６】
請求項３の発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから現在の放送時間帯の番組名を含むテキストデータと広告データを抽出するテキスト・広告データ抽出手段と、前記抽出されたテキストデータに基づいてディスプレイ装置の画面の分割領域に現在の放送時間帯の番組名を含む情報を表示させると共に、前記抽出された広告データに基づいてディスプレイ装置の画面の小窓領域に広告を表示させる番組情報・広告表示処理手段と、前記番組名を含む情報と広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に前記番組名を含む情報と広告を持続表示させる番組情報・広告表示持続処理手段と、前記スキップ操作設定時間内に再度スキップキーが押下されず、消去設定時間が経過したことを検知したとき、番組名を含む情報と広告の表示を消去する番組情報・広告消去処理手段とを有するシステムコントローラを備えたことを特徴とする情報記録再生装置を提供する。
【００１７】
この構成において、記録媒体に記録された番組を再生中に、スキップキーが押下されると、スキップキー押下判定手段は、スキップキーが押下されたと判定し、この後、テキスト・広告データ抽出手段は、スキップ時表示機能がオンのとき、ＥＰＧ記憶処理手段によりメモリに記憶されたＥＰＧデータから現在の放送時間帯の番組名を含むテキストデータと、広告データとを抽出する。この後、番組情報・広告表示処理手段は、前記抽出された現在の放送時間帯の番組名を含むテキストデータに基づいて、ディスプレイ装置の画面の分割領域に現在の放送時間帯の番組名を含む情報を表示させると共に、前記抽出された広告データに基づいてディスプレイ装置の画面の小窓領域に広告を表示させる。
【００１８】
前記広告がディスプレイ装置に表示された後、再スキップキー押下判定手段は、スキップ操作設定時間内に再度、スキップキーが押下されたか否かを判定する。前記スキップ操作設定時間内に再度、スキップキーが押下されたと判定されたとき、番組情報・広告表示持続処理手段は、そのままディスプレイ装置に、現在の放送時間帯の番組名を含む情報と広告とを持続表示させる。そして、番組情報・広告消去処理手段は、前記スキップ操作設定時間内に、再度、スキップキーが押下されず、消去設定時間が経過したことを検知したとき、ディスプレイ装置に表示されている現在の放送時間帯の番組名を含む情報と広告との表示を消去する。
【００１９】
この構成によれば、ＣＭや飛ばしたいシーンのスキップ処理中にＥＰＧデータに基づいて、広告と、現在の放送時間帯の番組名を含む情報とを、ディスプレイ装置の画面に表示させることができるので、スキップ処理中であっても広告提供者は広告をユーザにアピールでき、また、ユーザは、現在の放送時間帯の番組名を含む情報を見ることができて便利になる。
【００２０】
請求項４の発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、スキップ時表示機能がオンに設定されている場合に、スキップキーが押下されると、前記チューナで受信したＥＰＧデータから抽出された番組表データに基づく番組表、およびＥＰＧデータから抽出された広告データに基づく広告を、ディスプレイ装置の画面に設定時間だけ表示させる制御を行うシステムコントローラを備えたことを特徴とする情報記録再生装置を提供する。
【００２１】
この構成において、スキップ時表示機能がオンに設定されている場合に、スキップキーが押下されると、チューナで受信したＥＰＧデータから抽出された番組表データに基づく番組表、およびＥＰＧデータから抽出された広告データに基づく広告が、ディスプレイ装置の画面に設定時間だけ表示される。
【００２２】
この構成によれば、ＣＭや飛ばしたいシーンのスキップ処理中にＥＰＧデータに基づいて、広告と番組表とをディスプレイ装置の画面に表示させることができるので、スキップ処理中であっても、広告提供者は広告をユーザにアピールでき、また、ユーザは番組表を見ることができて便利になる。
【００２３】
請求項５の発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、スキップ時表示機能がオンに設定されている場合に、スキップキーが押下されると、前記チューナで受信したＥＰＧデータから抽出された広告データに基づく広告を、ディスプレイ装置の画面に設定時間だけ表示させる制御を行うシステムコントローラを備えたことを特徴とする情報記録再生装置を提供する。
【００２４】
この構成において、スキップ時表示機能がオンに設定されている場合に、スキップキーが押下されると、チューナで受信したＥＰＧデータから抽出された広告データに基づく広告が、ディスプレイ装置の画面に設定時間だけ表示される。
【００２５】
この構成によれば、ＣＭや飛ばしたいシーンのスキップ処理中にＥＰＧデータに基づいて、広告をディスプレイ装置の画面に表示させることができるので、スキップ処理中であっても広告提供者は広告をユーザにアピールできる。
【００２６】
請求項６の発明は、テレビ放送信号を受信して選局するチューナを有し、チューナで選局されたテレビ番組やその他の情報を記録媒体に記録したり、記録媒体に記録されたテレビ番組やその他の情報を再生したりする情報記録再生装置において、スキップ時表示機能がオンに設定されている場合に、スキップキーが押下されると、前記チューナで受信したＥＰＧデータから抽出された現在の放送時間帯の番組名を含むテキストデータに基づく現在の放送時間帯の番組名を含む情報、および広告データに基づく広告を、ディスプレイ装置の画面に設定時間だけ表示させる制御を行うシステムコントローラを備えたことを特徴とする情報記録再生装置を提供する。
【００２７】
この構成において、スキップ時表示機能がオンに設定されている場合に、スキップキーが押下されると、チューナで受信したＥＰＧデータから抽出された現在の放送時間帯の番組名を含むテキストデータに基づく現在の放送時間帯の番組名を含む情報、および広告データに基づく広告が、ディスプレイ装置の画面に設定時間だけ表示される。
【００２８】
この構成によれば、ＣＭや飛ばしたいシーンのスキップ処理中にＥＰＧデータに基づいて、広告と、現在の放送時間帯の番組名を含む情報とを、ディスプレイ装置の画面に表示させることができるので、スキップ処理中であっても広告提供者は、広告をユーザにアピールでき、また、ユーザは、現在の放送時間帯の番組名を含む情報を見ることができて便利になる。
【００２９】
請求項７の発明では、請求項４の発明において、前記システムコントローラは、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから番組表データと広告データを抽出する番組表・広告データ抽出手段と、前記抽出された番組表データに基づいてディスプレイ装置の画面に番組表を表示させると共に、前記抽出された広告データに基づいてディスプレイ装置の画面の小窓領域に広告を表示させる番組表・広告表示処理手段と、前記番組表と広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に番組表と広告を持続表示させる番組表・広告表示持続処理手段と、前記スキップ操作設定時間内に再度スキップキーが押下されず、消去設定時間が経過したことを検知したとき、番組表と広告の表示を消去する番組表・広告消去処理手段とを有することを特徴とする。
【００３０】
したがって、前記システムコントローラは、ＥＰＧ記憶処理、スキップキー押下判定処理、番組表・広告データ抽出処理、番組表・広告表示処理、再スキップキー押下判定処理、番組表・広告表示持続処理、および番組表・広告消去処理を実現でき、これにより、ＣＭや飛ばしたいシーンのスキップ処理中にＥＰＧデータに基づいて、広告と番組表とをディスプレイ装置の画面に表示させることが可能になり、また、設定時間が経過すれば、広告と番組表とを消去させることが可能になる。
【００３１】
請求項８の発明では、請求項５の発明において、前記システムコントローラは、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから広告データを抽出する広告データ抽出手段と、前記抽出された広告データに基づいてディスプレイ装置の画面の小窓領域に広告を表示させる広告表示処理手段と、前記広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に広告を持続表示させる広告表示持続処理手段と、前記スキップ操作設定時間内に再度スキップキーが押下されず、消去設定時間が経過したことを検知したとき、広告の表示を消去する広告消去処理手段とを有することを特徴とする。
【００３２】
したがって、前記システムコントローラは、ＥＰＧ記憶処理、スキップキー押下判定処理、広告データ抽出処理、広告表示処理、再スキップキー押下判定処理、広告表示持続処理、および広告消去処理を実現でき、これにより、ＣＭや飛ばしたいシーンのスキップ処理中にＥＰＧデータに基づいて、広告をディスプレイ装置の画面に表示させることが可能になり、また、設定時間が経過すれば、広告を消去させることが可能になる。
【００３３】
請求項９の発明では、請求項６において、前記システムコントローラは、起動時にチューナからＥＰＧデータを取り込みメモリに記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、前記メモリに記憶されたＥＰＧデータから現在の放送時間帯の番組名を含むテキストデータと広告データを抽出するテキスト・広告データ抽出手段と、前記抽出されたテキストデータに基づいてディスプレイ装置の画面の分割領域に現在の放送時間帯の番組名を含む情報を表示させると共に、前記抽出された広告データに基づいてディスプレイ装置の画面の小窓領域に広告を表示させる番組情報・広告表示処理手段と、前記番組名を含む情報と広告がディスプレイ装置に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置に前記番組名を含む情報と広告を持続表示させる番組情報・広告表示持続処理手段と、前記スキップ操作設定時間内に再度スキップキーが押下されず、消去設定時間が経過したことを検知したとき、番組名を含む情報と広告の表示を消去する番組情報・広告消去処理手段とを有することを特徴とする。
【００３４】
したがって、前記システムコントローラは、ＥＰＧ記憶処理、スキップキー押下判定処理、テキスト・広告データ抽出処理、番組情報・広告表示処理、再スキップキー押下判定処理、番組情報・広告表示持続処理、および番組情報・広告消去処理を実現でき、これにより、ＣＭや飛ばしたいシーンのスキップ処理中にＥＰＧデータに基づいて、広告と、現在の放送時間帯の番組名を含む情報とを、ディスプレイ装置の画面に表示させることが可能になり、また、設定時間が経過すれば、広告と、現在の放送時間帯の番組名を含む情報とを消去させることが可能になる。
【発明の効果】
【００３５】
以上のように第１の発明によれば、ＣＭや飛ばしたいシーンのスキップ処理中にＥＰＧデータに基づいて広告と番組表とをディスプレイ装置の画面に表示させることができるので、スキップ処理中であっても、広告提供者は広告をユーザにアピールでき、また、ユーザは番組表を見ることができて便利になる。
【００３６】
第２の発明によれば、ＣＭや飛ばしたいシーンのスキップ処理中にＥＰＧデータに基づいて広告をディスプレイ装置の画面に表示させることができるので、スキップ処理中であっても広告提供者は広告をユーザにアピールできる。
【００３７】
第３の発明によれば、ＣＭや飛ばしたいシーンのスキップ処理中にＥＰＧデータに基づいて、広告と、現在の放送時間帯の番組名を含む情報とを、ディスプレイ装置の画面に表示させることができるので、スキップ処理中であっても広告提供者は、広告をユーザにアピールでき、また、ユーザは、現在の放送時間帯の番組名を含む情報を見ることができて便利になる。
【発明を実施するための最良の形態】
【００３８】
以下、添付図面を参照しつつ、本発明の実施の形態について説明する。図１は本発明の第１，第２，第３の実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とするスキップ時のスキップ時表示機能は、複合型記録再生装置に限らず、単体のハードディスク装置や光ディスク装置に設ければ、同様な効果を得ることができる。
【００３９】
図１において、複合型記録再生装置１は、光ディスクとしてのＤＶＤ１５などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムやデータなどを記憶するフラッシュＲＯＭ６と、システムコントローラ１０の動作に必要なデータを一時的に記憶するＲＡＭ１６とを備えている。
【００４０】
また、この複合型記録再生装置１は、デコーダ５で復号された映像信号をテレビジョン受像機１３のディスプレイ装置１３１で表示可能な映像信号に変換する映像出力部７と、タイトルリスト画面、番組表、広告、番組名、番組内容などをテレビジョン受像機１３のディスプレイ装置１３１に表示させるためのＯＳＤ部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００４１】
システムコントローラ１０は、第１の実施形態の特徴として、起動時にチューナ４からＥＰＧデータを取り込みＲＡＭ１６（またはフラッシュＲＯＭ６でも良い）に記憶するＥＰＧ記憶処理手段と、記録媒体（ＨＤ１４またはＤＶＤ１５）に記録されたテレビ番組を再生中にスキップキーが押下されたか否かを判定するスキップキー押下判定手段と、前記スキップキーが押下されたと判定され、スキップ時表示機能がオンのとき、ＲＡＭ１６に記憶されたＥＰＧデータから番組表データと広告データを抽出する番組表・広告データ抽出手段と、前記抽出された番組表データに基づいてディスプレイ装置１３１の画面に番組表を表示させると共に、前記抽出された広告データに基づいてディスプレイ装置１３１の画面の小窓領域に広告を表示させる番組表・広告表示処理手段と、前記番組表と広告がディスプレイ装置１３１に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置１３１に番組表と広告を持続表示させる番組表・広告表示持続処理手段と、前記スキップ操作設定時間内に再度スキップキーが押下されず、消去設定時間が経過したことを検知したとき、番組表と広告の表示を消去する番組表・広告消去処理手段とを有する。
【００４２】
また、システムコントローラ１０は、第２の実施形態の特徴として、起動時にチューナ４からＥＰＧデータを取り込みＲＡＭ１６に記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、ＲＡＭ１６に記憶されたＥＰＧデータから広告データを抽出する広告データ抽出手段と、前記抽出された広告データに基づいてディスプレイ装置１３１の画面の小窓領域に広告を表示させる広告表示処理手段と、前記広告がディスプレイ装置１３１に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置１３１に広告を持続表示させる広告表示持続処理手段と、前記スキップ操作設定時間内に再度スキップキーが押下されず、消去設定時間が経過したことを検知したとき、広告の表示を消去する広告消去処理手段とを有する。
【００４３】
また、システムコントローラ１０は、第３の実施形態の特徴として、起動時にチューナ４からＥＰＧデータを取り込みＲＡＭ１６に記憶するＥＰＧ記憶処理手段と、記録媒体に記録されたテレビ番組を再生中にスキップキーが押下されたか否かを判定するスキップキー押下判定手段と、前記スキップキーが押下されたと判定され、スキップ時表示機能がオンのとき、ＲＡＭ１６に記憶されたＥＰＧデータから現在の放送時間帯の番組名を含むテキストデータと広告データを抽出するテキスト・広告データ抽出手段と、前記抽出されたテキストデータに基づいてディスプレイ装置１３１の画面の分割領域に現在の放送時間帯の番組名を含む情報を表示させると共に、前記抽出された広告データに基づいてディスプレイ装置の１３１画面の小窓領域に広告を表示させる番組情報・広告表示処理手段と、前記番組名を含む情報と広告がディスプレイ装置１３１に表示された後、スキップ操作設定時間内に再度スキップキーが押下されたか否かを判定する再スキップキー押下判定手段と、前記スキップ操作設定時間内に再度スキップキーが押下されたと判定されたとき、そのままディスプレイ装置１３１に前記番組名を含む情報と広告を持続表示させる番組情報・広告表示持続処理手段と、前記スキップ操作設定時間内に再度スキップキーが押下されず、消去設定時間が経過したことを検知したとき、番組名を含む情報と広告の表示を消去する番組情報・広告消去処理手段とを有する。
【００４４】
図２は第１，第２，第３の実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、再生リストキー２１６、表示機能キー２１７、上方向きー２１８、下方向キー２１９、左方向キー２２０、右方向キー２２１、決定キー２２２、メニューキー２２３、記録キー２２４、一時停止キー２２５、早戻しキー２２６、停止キー２２７、再生キー２２８、早送りキー２２９、スキップキー２３０、ＨＤＤモード切換キー２３１、ＤＶＤモード切換キー２３２などが配置されている。なお、ここでのキーの配置および個数は一例であるので、これに限ることはない。
【００４５】
図３は第１の実施形態においてスキップキーが押下されたときにテレビジョン受像機におけるディスプレイ装置に表示される画面を示す図である。図３において、画面３１には、ＥＰＧデータから抽出された番組表データによる番組表が表示される番組表表示領域３２と、ＥＰＧデータから抽出された広告データにより広告が表示される小窓領域３３とが設けられている。番組表表示領域３２には、各放送局（Ａテレビ、Ｂテレビ、Ｃテレビなど）の番組名と番組内容と出演者などの情報が表示される番組情報表示領域３４〜４５などが設けられている。例えば、番組情報表示領域３４には、放送局がＡテレビであり、ＡＭ１１時からＡＭ１１時５９分５９秒まで放送される番組の番組名と番組内容と出演者など表示される。
【００４６】
図４は第１の実施形態においてスキップキーが押下されたときの処理を説明するためのフローチャートである。このフローチャートおよび図１〜図３を参照してスキップキーが押下されたときの処理について説明する。ここの説明では、ＨＤ１４に記録されている番組を再生している際中にスキップ処理する場合について説明するが、ＤＶＤ１５に記録されている番組を再生している際中にスキップ処理する場合についても同様な処理が行われる。
【００４７】
先ず、ユーザはリモコン１１のＴＶ電源キー２１１およびレコーダ電源２１３を押下して、テレビジョン受像機１３および複合型記録再生装置１の主電源をオンする。これにより、複合型記録再生装置１は起動し、このときシステムコントローラ１０のＥＰＧ記憶処理手段は、チューナ４で受信した特定放送局からのＥＰＧデータを取り込み、ＲＡＭ１６に記憶する。そのＥＰＧデータは、例えば、６時間毎に更新されており、その時点のＥＰＧデータがＲＡＭ１６に記憶される。そして、ＲＡＭ１６からＥＰＧデータを読み出すことによって、放送時間帯が現在時刻以後の番組表が、テレビジョン受像機１３のディスプレイ装置１３１の画面３１に表示されるようになっている。
【００４８】
ここで、ユーザがＨＤ１４に記録されている番組を再生するため、リモコン１１のＨＤＤモード切換キー２３１を押下して装置をＨＤＤモードに切り換えた後、再生キー２２８を押下すると、システムコントローラ１０は、再生キー２２８が押下されたことを検知し（ステップＳ１）、ハードディスク装置３を再生動作させ、ＨＤ１４に記録された番組の再生を開始させる（ステップＳ２）。即ち、ハードディスク装置３は、ＨＤ１４に記録された番組を読み出してテレビジョン受像機１３のディスプレイ装置１３１に再生映像を表示させると共に、テレビジョン受像機１３のスピーカ１３２から再生音声を出力させる。
【００４９】
このようにして、再生映像をディスプレイ装置１３１に表示させ、再生音声をスピーカ１３２から出力させて、ユーザがＨＤ１４に記録された番組を視聴しているときに、ＣＭが現れると、ユーザは、ＣＭをスキップさせるため、リモコン１１のスキップキー２３０の早送り方向への押下を行う（ステップＳ３）。これにより、システムコントローラ１０のスキップキー押下判定手段は、ＨＤ１４に記録された番組を再生中に、スキップキー２３０が押下されたと判定する（ステップＳ３）。
【００５０】
スキップキー２３０が押下されたと判定された後、システムコントローラ１０の番組表・広告データ抽出手段は、スキップ時表示機能がオンされているとき（ステップＳ４）、ＲＡＭ１６に記憶されたＥＰＧデータから番組表データと広告データを抽出する（ステップＳ５）。スキップ時表示機能のオンまたはオフの設定は、初期設定時に、リモコン１１のメニューキー２２３を押下することにより、ディスプレイ装置１３１に初期設定画面を表示させ、スキップ時表示機能の項目の「オン」を選択して決定しておけば、スキップ時表示機能が働き、また、スキップ時表示機能の項目の「オフ」を選択して決定しておけば、スキップ時表示機能が働かないようになる。したがって、スキップ時表示機能がオンに設定されている場合は、ステップＳ５の処理に移るが、スキップ時表示機能がオフに設定されている場合には、通常のスキップ処理を行い、ステップＳ１０の処理に移る。また、スキップ時表示機能の設定時に、「番組表の表示」、「現在の放送時間帯の番組名などの表示」、」「広告の表示」、「表示しない」と言う選択項目があり、この第１の実施形態では、「番組表の表示」、「広告の表示」の項目が選択されている。
【００５１】
スキップ時表示機能がオンであり、ＲＡＭ１６に記憶されたＥＰＧデータから番組表データと広告データが抽出された後、システムコントローラ１０の番組表・広告表示処理手段は、前記抽出された番組表データに基づいてディスプレイ装置１３１の画面３１の番組表表示領域３２に番組表を表示させると共に、前記抽出された広告データに基づいてディスプレイ装置１３１の画面３１の小窓領域３３に広告を表示させる（ステップＳ６）。
【００５２】
前記番組表と広告がディスプレイ装置１３１に表示された後、システムコントローラ１０の再スキップキー押下判定手段は、スキップ操作設定時間内に再度、リモコン１１のスキップキー２３０が押下されたか否かを判定する（ステップＳ７）。前記スキップ操作設定時間は、初期設定時に、リモコン１１のメニューキー２２３を押下することにより、ディスプレイ装置１３１に初期設定画面を表示させ、スキップ操作設定時間の項目を選択し、スキップ操作設定時間として、再度、スキップキー２３０が押下されるまでの時間を例えば２秒に設定しておけば良い。
【００５３】
スキップ操作設定時間内（例えば２秒以内）に再度、スキップキー２３０が押下されたと判定されたとき、システムコントローラ１０の番組表・広告表示持続処理手段は、そのままディスプレイ装置１３１に番組表と広告を持続表示させる（ステップＳ６）。そして、システムコントローラ１０の番組表・広告消去処理手段は、スキップ操作設定時間内（例えば２秒以内）に、再度、スキップキー２３０が押下されず、消去設定時間（例えば５秒）が経過したことを検知したとき、ディスプレイ装置１３に表示されている番組表と広告の表示を消去する（ステップＳ９）。消去設定時間は、初期設定時に、リモコン１１のメニューキー２２３を押下することにより、ディスプレイ装置１３１に初期設定画面を表示させ、消去設定時間の項目を選択し、その時間を例えば５秒に設定しておけば良い。
【００５４】
番組表と広告の表示が消去された後、システムコントローラ１０は、スキップが終了したか否かを判定するが（ステップＳ１０）、記録媒体がハードディスクや光ディスクの場合には、スキップキーが押下されてから直ぐにスキップが終了するので、ステップＳ１０ではスキップが終了したと判定される。
【００５５】
ただし、ビデオテープレコーダの場合には、スキップキーが押下されても、ビデオテープを走行させる時間が必要となるので、本フローチャートの処理をビデオテープレコーダに適用した場合、ステップＳ９の処理を終えても、スキップが終了していない場合もあるので、ステップＳ１０でスキップが終了したか否かが判定される。また、ビデオテープレコーダの場合、スキップ時間が長いときは、ＥＰＧデータに基づいてディスプレイ装置１３１の画面３１に表示されている広告などの情報を、スキップの終了時に消去しても良い。
【００５６】
前記スキップが終了したと判定された後は、システムコントローラ１０は、ハードディスク装置３を再生動作させ、スキップの終了時点から引き続きＨＤ１４に記録された番組を再生させる（ステップＳ２）。なお、再生が開始され（ステップＳ２）、この後、システムコントローラ１０は、リモコン１１の停止キー２２７が押下されたことを検知したとき（ステップＳ１１）、ハードディスク装置３の再生動作を停止させ、当該番組の再生を終了させる（ステップＳ１２）。
【００５７】
以上のように第１の実施形態によれば、ＣＭや飛ばしたいシーンのスキップ処理中にＥＰＧデータに基づいて、広告と番組表をディスプレイ装置の画面に表示させることができるので、スキップ処理中であっても、広告提供者は広告をユーザにアピールでき、また、ユーザは番組表を見ることができて便利になる。
【００５８】
図５は第２の実施形態においてスキップキーが押下されたときにテレビジョン受像機におけるディスプレイ装置に表示される画面を示す図である。図５において、画面３１には、ＥＰＧデータから抽出された広告データにより広告が表示される小窓領域３３が設けられている。
【００５９】
図６は第２の実施形態においてスキップキーが押下されたときの処理を説明するためのフローチャートである。このフローチャートおよび図１、図２、図５を参照してスキップキーが押下されたときの処理について説明する。ここの説明では、ＨＤ１４に記録されている番組を再生している際中にスキップ処理する場合について説明するが、ＤＶＤ１５に記録されている番組を再生している際中にスキップ処理する場合についても同様な処理が行われる。
【００６０】
先ず、ユーザはリモコン１１のＴＶ電源キー２１１およびレコーダ電源２１３を押下して、テレビジョン受像機１３および複合型記録再生装置１の主電源をオンする。これにより、複合型記録再生装置１は起動し、このときシステムコントローラ１０のＥＰＧ記憶処理手段は、チューナ４で受信した特定放送局からのＥＰＧデータを取り込み、ＲＡＭ１６に記憶する。そのＥＰＧデータは、例えば、６時間毎に更新されており、その時点のＥＰＧデータがＲＡＭ１６に記憶される。そして、ＲＡＭ１６からＥＰＧデータを読み出すことによって、放送時間帯が現在時刻以後の番組表が、テレビジョン受像機１３のディスプレイ装置１３１の画面３１に表示されるようになっている。
【００６１】
ここで、ユーザがＨＤ１４に記録されている番組を再生するため、リモコン１１のＨＤＤモード切換キー２３１を押下して装置をＨＤＤモードに切り換えた後、再生キー２２８を押下すると、システムコントローラ１０は、再生キー２２８が押下されたことを検知し（ステップＮ１）、ハードディスク装置３を再生動作させ、ＨＤ１４に記録された番組の再生を開始させる（ステップＮ２）。即ち、ハードディスク装置３は、ＨＤ１４に記録された番組を読み出してテレビジョン受像機１３のディスプレイ装置１３１に再生映像を表示させると共に、テレビジョン受像機１３のスピーカ１３２から再生音声を出力させる。
【００６２】
このようにして、再生映像をディスプレイ装置１３１に表示させ、再生音声をスピーカ１３２から出力させて、ユーザがＨＤ１４に記録された番組を視聴しているときに、ＣＭが現れると、ユーザは、ＣＭをスキップさせるため、リモコン１１のスキップキー２３０の早送り方向への押下を行う。これにより、システムコントローラ１０のスキップキー押下判定手段は、ＨＤ１４に記録された番組を再生中に、スキップキー２３０が押下されたと判定する（ステップＮ３）。
【００６３】
スキップキー２３０が押下されたと判定された後、システムコントローラ１０の番組表・広告データ抽出手段は、スキップ時表示機能がオンのとき（ステップＮ４）、ＲＡＭ１６に記憶されたＥＰＧデータから広告データを抽出する（ステップＮ５）。スキップ時表示機能がオンに設定されている場合は、ステップＮ５の処理に移るが、スキップ時表示機能がオフに設定されている場合には、通常のスキップ処理を行い、ステップＮ１０の処理に移る。なお、スキップ時表示機能の設定時に、「番組表の表示」、「現在の放送時間帯の番組名などの表示」、」「広告の表示」、「表示しない」と言う選択項目があり、この第２の実施形態では、「広告の表示」の項目が選択されている。
【００６４】
スキップ時表示機能がオンであり、ＲＡＭ１６に記憶されたＥＰＧデータから広告データが抽出された後、システムコントローラ１０の広告表示処理手段は、前記抽出された広告データに基づいてディスプレイ装置１３１の画面３１の小窓領域３３に広告を表示させる（ステップＮ６）。
【００６５】
前記広告がディスプレイ装置１３１に表示された後、システムコントローラ１０の再スキップキー押下判定手段は、スキップ操作設定時間内（例えば、２秒以内）に再度、リモコン１１のスキップキー２３０が押下されたか否かを判定する（ステップＮ７）。前記スキップ操作設定時間内（例えば、２秒以内）に再度、スキップキー２３０が押下されたと判定されたとき、システムコントローラ１０の広告表示持続処理手段は、そのままディスプレイ装置１３１の画面３１の小窓領域３３に広告を持続表示させる（ステップＮ６）。
【００６６】
そして、システムコントローラ１０の広告消去処理手段は、前記スキップ操作設定時間内（例えば、２秒以内）に、再度、スキップキー２３０が押下されず、消去設定時間（例えば、５秒）が経過したことを検知したとき、ディスプレイ装置１３に表示されている広告の表示を消去する（ステップＮ９）。広告の表示が消去された後、システムコントローラ１０は、スキップが終了したか否かを判定するが（ステップＮ１０）、記録媒体がハードディスクや光ディスクの場合には、スキップキーが押下されてから直ぐにスキップが終了するので、この場合にはスキップが終了したと判定される。
【００６７】
前記スキップが終了したと判定された後は、システムコントローラ１０は、ハードディスク装置３を再生動作させ、スキップの終了時点から引き続きＨＤ１４に記録された番組を再生させる（ステップＮ２）。なお、再生が開始され（ステップＮ２）、この後、システムコントローラ１０は、リモコン１１の停止キー２２７が押下されたことを検知したとき（ステップＮ１１）、ハードディスク装置３の再生動作を停止させ、当該番組の再生を終了させる（ステップＮ１２）。
【００６８】
以上のように第２の実施形態によれば、ＣＭや飛ばしたいシーンのスキップ処理中にＥＰＧデータに基づいて広告をディスプレイ装置の画面に表示させることができるので、スキップ処理中であっても広告提供者は広告をユーザにアピールできる。
【００６９】
図７は第３の実施形態においてスキップキーが押下されたときにテレビジョン受像機におけるディスプレイ装置に表示される画面を示す図である。図７において、ＥＰＧデータから抽出されたテキストデータに基づいて作成された現在時刻に対応する放送時間帯の放送局と番組名と番組内容が、画面３１の分割領域３４に表示されている。また、画面３１には、ＥＰＧデータから抽出された広告データによる広告が表示される小窓領域３３が設けられている。
【００７０】
図８は第３の実施形態においてスキップキーが押下されたときの処理を説明するためのフローチャートである。このフローチャートおよび図１、図２、図７を参照してスキップキーが押下されたときの処理について説明する。ここの説明では、ＨＤ１４に記録されている番組を再生している際中にスキップ処理する場合について説明するが、ＤＶＤ１５に記録されている番組を再生している際中にスキップ処理する場合についても同様な処理が行われる。
【００７１】
先ず、ユーザはリモコン１１のＴＶ電源キー２１１およびレコーダ電源２１３を押下して、テレビジョン受像機１３および複合型記録再生装置１の主電源をオンする。これにより、複合型記録再生装置１は起動し、このときシステムコントローラ１０のＥＰＧ記憶処理手段は、チューナ４で受信した特定放送局からのＥＰＧデータを取り込み、ＲＡＭ１６に記憶する。そのＥＰＧデータは、例えば、６時間毎に更新されており、その時点のＥＰＧデータがＲＡＭ１６に記憶される。そして、ＲＡＭ１６からＥＰＧデータを読み出すことによって、放送時間帯が現在時刻以後の番組表が、テレビジョン受像機１３のディスプレイ装置１３１の画面３１に表示されるようになっている。
【００７２】
ここで、ユーザがＨＤ１４に記録されている番組を再生するため、リモコン１１のＨＤＤモード切換キー２３１を押下して装置をＨＤＤモードに切り換えた後、再生キー２２８を押下すると、システムコントローラ１０は、再生キー２２８が押下されたことを検知し（ステップＴ１）、ハードディスク装置３を再生動作させ、ＨＤ１４に記録された番組の再生を開始させる（ステップＴ２）。即ち、ハードディスク装置３は、ＨＤ１４に記録された番組を読み出してテレビジョン受像機１３のディスプレイ装置１３１に再生映像を表示させると共に、テレビジョン受像機１３のスピーカ１３２から再生音声を出力させる。
【００７３】
このようにして、再生映像をディスプレイ装置１３１に表示させ、再生音声をスピーカ１３２から出力させて、ユーザがＨＤ１４に記録された番組を視聴しているときに、ＣＭが現れると、ユーザは、ＣＭをスキップさせるため、リモコン１１のスキップキー２３０の早送り方向への押下を行う。これにより、システムコントローラ１０のスキップキー押下判定手段は、ＨＤ１４に記録された番組を再生中に、スキップキー２３０が押下されたと判定する（ステップＴ３）。
【００７４】
スキップキー２３０が押下されたと判定された後、システムコントローラ１０のテキスト・広告データ抽出手段は、スキップ時表示機能がオンのとき（ステップＴ４）、ＲＡＭ１６に記憶されたＥＰＧデータから現在の放送時間帯の番組名を含むテキストデータと、広告データを抽出する（ステップＴ５）。スキップ時表示機能がオンに設定されている場合は、ステップＴ５の処理に移るが、スキップ時表示機能がオフに設定されている場合には、通常のスキップ処理を行い、ステップＴ１０の処理に移る。なお、スキップ時表示機能の設定時に、「番組表の表示」、「現在の放送時間帯の番組名などの表示」、「広告の表示」、「表示しない」と言う選択項目があり、この第３の実施形態では、「現在の放送時間帯の番組名などの表示」、「広告の表示」の項目が選択されている。
【００７５】
スキップ時表示機能がオンであり、ＲＡＭ１６に記憶されたＥＰＧデータから現在の放送時間帯の番組名を含むテキストデータと広告データが抽出された後、システムコントローラ１０の番組情報・広告表示処理手段は、前記抽出された現在の放送時間帯の番組名を含むテキストデータに基づいて作成された現在時刻に対応する放送時間帯の放送局と番組名と番組内容を、ディスプレイ装置１３１の画面３１の分割領域３４に表示させると共に、前記抽出された広告データに基づいてディスプレイ装置１３１の画面３１の小窓領域３３に広告を表示させる（ステップＴ６）。
【００７６】
前記現在時刻に対応する放送時間帯の放送局と番組名と番組内容、および前記広告がディスプレイ装置１３１に表示された後、システムコントローラ１０の再スキップキー押下判定手段は、スキップ操作設定時間内（例えば、２秒以内）に再度、リモコン１１のスキップキー２３０が押下されたか否かを判定する（ステップＴ７）。前記スキップ操作設定時間内（例えば２秒以内）に、再度、スキップキー２３０が押下されたと判定されたとき、システムコントローラ１０の番組情報・広告表示持続処理手段は、そのままディスプレイ装置１３１に、現在時刻に対応する放送時間帯の放送局と番組名と番組内容、および広告を持続表示させる（ステップＴ６）。
【００７７】
そして、システムコントローラ１０の番組情報・広告消去処理手段は、前記スキップ操作設定時間内（例えば、２秒以内）に、再度、スキップキー２３０が押下されず、消去設定時間（例えば５秒）が経過したことを検知したとき、ディスプレイ装置１３に表示されている現在時刻に対応する放送時間帯の放送局と番組名と番組内容、および広告の表示を消去する（ステップＴ９）。現在時刻に対応する放送時間帯の放送局と番組名と番組内容、および広告の表示が消去された後、システムコントローラ１０は、スキップが終了したか否かを判定するが（ステップＴ１０）、記録媒体がハードディスクや光ディスクの場合には、スキップキーが押下されてから直ぐにスキップが終了するので、この場合にはスキップが終了したと判定される。
【００７８】
前記スキップが終了したと判定された後は、システムコントローラ１０は、ハードディスク装置３を再生動作させ、スキップの終了時点から引き続きＨＤ１４に記録された番組を再生開始させる（ステップＴ２）。なお、再生が開始され（ステップＴ２）、この後、システムコントローラ１０は、リモコン１１の停止キー２２７が押下されたことを検知したとき（ステップＴ１１）、ハードディスク装置３の再生動作を停止させ、当該番組の再生を終了させる（ステップＴ１２）。
【００７９】
以上のように第３の実施形態によれば、ＣＭや飛ばしたいシーンのスキップ処理中にＥＰＧデータに基づいて広告と、現在の放送時間帯の番組名を含む情報を、ディスプレイ装置の画面に表示させることができるので、スキップ処理中であっても広告提供者は広告をユーザにアピールでき、また、ユーザは、現在の放送時間帯の番組名を含む情報を見ることができて便利になる。
【産業上の利用可能性】
【００８０】
本発明は、ハードディスクレコーダやＤＶＤレコーダなどの情報記録再生装置のスキップ機能に利用可能であり、スキップ処理中に広告や番組表などを表示させることができる。
【図面の簡単な説明】
【００８１】
【図１】本発明の第１，第２，第３の実施形態に係る情報記録再生装置としての複合型記録再生装置の構成を示すブロック図である。
【図２】第１，第２，第３の実施形態においてリモコンのキー配置の一例を示す図である。
【図３】第１の実施形態においてスキップキーが押下されたときにテレビジョン受像機におけるディスプレイ装置に表示される画面を示す図である。
【図４】第１の実施形態においてスキップキーが押下されたときの処理を説明するためのフローチャートである。
【図５】第２の実施形態においてスキップキーが押下されたときにテレビジョン受像機におけるディスプレイ装置に表示される画面を示す図である。
【図６】第２の実施形態においてスキップキーが押下されたときの処理を説明するためのフローチャートである。
【図７】第３の実施形態においてスキップキーが押下されたときにテレビジョン受像機におけるディスプレイ装置に表示される画面を示す図である。
【図８】第３の実施形態においてスキップキーが押下されたときの処理を説明するためのフローチャートである。
【符号の説明】
【００８２】
１    複合型記録再生装置（情報記録再生装置）
４    チューナ
１０    システムコントローラ
１６    ＲＡＭ（メモリ）
３１    画面
３３    小窓領域
３４    分割領域
１３１    ディスプレイ装置
２３０    スキップキー
【図１】
2008187548.tif 000003
【図２】
2008187548.tif 000004
【図３】
2008187548.tif 000005
【図４】
2008187548.tif 000006
【図５】
2008187548.tif 000007
【図６】
2008187548.tif 000008
【図７】
2008187548.tif 000009
【図８】
2008187548.tif 000010